【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
基地局から移動局への順方向リンク信号を増幅するための中継器であって、移動局が周波数トラッキングループを有しており、
基地局から移動局への順方向リンク信号を増幅するための増幅器と、
順方向リンク信号が中継器を通過するとき、順方向リンク信号を識別用高速周波数透かしで周波数変調する高速周波数変調器であって、前記透かしが、前記移動局で周波数トラッキングループが前記透かしを実質的に検出しないような周波数を有している高速周波数変調器とを含む中継器。
【請求項２】
前記透かしが、非周期的波形を含む請求項１に記載の中継器。
【請求項３】
前記非周期的波形が、２Ｔのビット期間を持つＢＰＳＫ−、ＱＰＳＫ−、およびＯＱＰＳＫ−符号化された波形の１つを含み、Ｔが移動局の周波数トラッキングループの時定数より実質的に短い請求項２に記載の中継器。
【請求項４】
前記非周期的波形が、約５０Ｈｚ以下の振幅を有している請求項３に記載の中継器。
【請求項５】
Ｔが、周波数トラッキングループの時定数の約１／６０より短い請求項３に記載の中継器。
【請求項６】
前記非周期的透かし波形が、ビットの一意的系列を有することにより中継器を一意的に識別する請求項３に記載の中継器。
【請求項７】
前記透かしが、２Ｔの周期を持って実質的に周期的であり、Ｔが移動局の周波数トラッキングループの時定数より実質的に短い請求項１に記載の中継器。
【請求項８】
Ｔが、周波数トラッキングループの時定数の約１／６０より短い請求項７に記載の中継器。
【請求項９】
高速周波数透かしの振幅が、約５０Ｈｚ以下である請求項７に記載の中継器。
【請求項１０】
前記周期的波形が、周期的矩形波を含む請求項７に記載の中継器。
【請求項１１】
前記周期的矩形波が、約５０Ｈｚ以下の振幅を有する請求項１０に記載の中継器。
【請求項１２】
前記振幅が、約５０Ｈｚである請求項１１に記載の中継器。
【請求項１３】
前記透かし波形が、Ｔの一意的値を持つことによって中継器を識別する請求項７に記載の中継器。
【請求項１４】
複数の順方向リンクパイロット信号を受信し、かつ、いずれかの前記順方向リンク信号が中継されたかどうかを決定するために高速周波数透かし波形の存在を識別する移動局であって、
順方向リンク信号を受信するための受信機と、
順方向リンク信号の正確な復調を可能にするための周波数トラッキングループと、
パイロットを検出し、かつ、前記複数の順方向リンクパイロット信号の到着時刻を測定することを含むパイロット位相測定を実施するためのＡＦＬＴ探索器と、
もしあれば、透かしを検出および識別し、それにより中継された順方向リンク信号を識別するように構成された中継器識別システムであって、中継器を一意的に識別する透かし波形を検索するために、前記中継器識別システムが透かしについて順方向リンク信号を探索し、透かし波形は周波数トラッキングループが実質的に前記透かしを検出しないような周波数を有している、中継器識別システムとを含む移動局。
【請求項１５】
前記中継器識別システムが、
一連のパイロット信号サンプルを累算するための手段と、
前記パイロット信号サンプルから、もしあれば透かし波形を、パイロット信号サンプルの連続和のクロス乗積を計算することによって、検索するための手段と、
前記透かし波形について、もしあれば、一意的に中継器を識別するその周波数を決定するために、周波数相関を実行する手段とを含む請求項１４に記載の移動局。
【請求項１６】
前記中継器識別システムが、ＢＰＳＫ変調された透かし波形を復調するための手段を含む請求項１４に記載の移動局。
【請求項１７】
前記復調手段が整合フィルタベースの復調器を含む請求項１４に記載の移動局。
【請求項１８】
ＧＰＳ信号を受信するためのＧＰＳ受信機をさらに含む請求項１４に記載の移動局。
【請求項１９】
前記ＧＰＳ受信機が移動局の正確な位置決定のために十分な数の測定値を生成している場合には、前記中継器識別システムが、透かしに対する順方向リンク信号の探索を省くための手段をさらに含む請求項１８に記載の移動局。
【請求項２０】
複数のパイロット信号の順方向リンクから移動局に関する位置決定情報を決定するための方法であって、
パイロットを検出し、前記複数のパイロット信号の最も早い到着時刻を測定するために、移動局内でＡＦＬＴ探索を実行することと、
前記ＡＦＬＴ探索の間に検出された第１のパイロット信号を選択することと、
中継された信号を識別する高速周波数透かし波形を探索することを含む、中継器ＡＦＬＴ探索を前記第１のパイロット信号について実行することにより前記第１のパイロット信号を中継器で選別することであり、透かし波形は前記移動局内の周波数トラッキングループが透かしを前記移動局で実質的に検出しないような周波数を有しており、
複数の他の選択されたパイロット信号に対する実行および中継器による選別の前記ステップを、移動局の位置を決定するために十分な数の、中継器で選別されたパイロット信号が得られるまで、繰り返すことと、
前記ＡＦＬＴ探索で取得したパイロット信号に対してパイロット位相測定値および中継器情報を、前記移動局の位置決定のための移動局位置決定システムおよびネットワーク位置決定エンティティの１つへ提供することとを含む方法。
【請求項２１】
前記中継器情報が、信号が成功裡に中継器で選別されたか否か、もしそうなら、信号が中継されたか否かを識別し、それにより、移動局位置決定システムおよびネットワーク位置決定エンティティ内の前記１つが、移動局の位置を、中継されたパイロット信号からのおよび中継器による選別が成功しなかったパイロット信号からの測定値を除外することにより決定する、請求項２０に記載の方法。
【請求項２２】
前記透かし波形から中継器ＩＤを識別することをさらに含む請求項２０に記載の方法。
【請求項２３】
中継器情報を提供するステップが、パイロット信号が成功裡に中継器で選別されたかどうか、もしそうなら、信号が中継されたか否か、もしそうなら、中継されたと識別されたパイロット信号に対する前記中継器ＩＤを提供することを含み、それにより、移動局位置決定システムおよびネットワーク位置決定エンティティの前記１つが、中継されたパイロット信号からの測定値を位置計算に含める、請求項２２に記載の方法。
【請求項２４】
前記中継器ＡＦＬＴ探索が、
ＡＦＬＴ探索器からのパイロット信号サンプルを累算することと、
連続したパイロット信号サンプルの和のクロス乗積を計算することにより周波数透かし波形を検索するここと、
前記中継器ＩＤに対応する透かし波形の周波数を決定するために周波数相関を実行することとを含む請求項２２に記載の方法。
【請求項２５】
前記中継器ＡＦＬＴ探索が、ＢＰＳＫで符号化された高速周波数透かしから前記中継器ＩＤを復号するための整合フィルタベースの復調を含む、請求項２２に記載の方法。
【請求項２６】
中継器ＡＦＬＴ探索を実行するステップに先だってＧＰＳ探索を実行することをさらに含む請求項２０に記載の方法。
【請求項２７】
前記ＧＰＳ探索が、移動局の位置を正確に決定するために十分な数の測定値を生成する場合、中継器選別のステップを省く請求項２６に記載の方法。
【請求項２８】
もしあれば、移動局内で、パイロット信号からの中継器情報を検索するための方法であって、
第１のパイロット信号について移動局内で、前記第１のパイロット信号の順方向リンク上の中継された信号を識別する高速周波数透かし波形を探索することを含む、中継器識別探索を実行することであり、透かし波形は、前記移動局内の周波数トラッキングループが前記移動局において実質的に透かしを検出しないような周波数を有しており、
位置決定のためのパイロット位相測定値および中継器情報を提供することとを含む方法。
【請求項２９】
前記中継器情報が、信号が成功裡に中継器で選別されたか否か、もしそうなら、信号が中継されたか否かを識別し、それにより、移動局位置決定システムおよびネットワーク位置決定エンティティの前記１つが、移動局の位置を、中継されたパイロット信号からのおよび中継器による選別が成功しなかったパイロット信号からの測定値を除外することにより決定する、請求項２８に記載の方法。
【請求項３０】
前記透かし波形から中継器ＩＤを識別することをさらに含む請求項２８に記載の方法。
【請求項３１】
中継器情報を提供するステップが、パイロット信号が成功裡に中継器で選別されたかどうか、もしそうなら、信号が中継されたか否か、もしそうなら、中継されたと識別されたパイロット信号に対する中継器ＩＤを提供することを含み、それにより、移動局位置決定システムおよびネットワーク位置決定エンティティの前記１つが、中継されたパイロット信号からの測定値を位置計算に含める、請求項３０に記載の方法。
【請求項３２】
前記中継器識別探索が、
パイロット探索器からのパイロット信号サンプルを累算することと、
連続したパイロット信号サンプルの和のクロス乗積を計算することにより周波数透かし波形を検索することと、
前記中継器ＩＤに対応する透かし波形の周波数を決定するために周波数相関を実行することとを含む請求項３０に記載の方法。
【請求項３３】
前記中継器識別探索が、ＢＰＳＫで符号化された高速周波数透かしを復号するための整合フィルタベースの復調を含む、請求項３０に記載の方法。
【請求項３４】
中継器識別探索を実行するステップに先だってＧＰＳ探索を実行することをさらに含む請求項２８に記載の方法。
【請求項３５】
前記ＧＰＳ探索が移動局の位置を正確に決定するために十分な数の測定値を生成する場合、中継器識別探索を実行するステップを省く請求項３４に記載の方法。